(57)【要約】【課題】ユーザが通信装置の近くにいる状態で急に大音量の着信音が鳴りユーザが不快に思うことを回避する。【解決手段】筐体の開閉を検出する開閉検出手段と、着信音を出力するスピーカと、制御手段と、筐体を振動させるバイブレータと、を有し、前記制御手段は、着信時に前記開閉検出手段が筐体が開いていることを検出したと判定すると、着信時に着信音を前記スピーカから出力するように設定されている状態でも、前記スピーカから着信音を出力することを禁止すると共に前記バイブレータを駆動することを特徴とする。【選択図】      図３
2005269166.tif 000002
【特許請求の範囲】
【請求項１】
開閉可能な折畳式の通信装置であり、
前記通信装置は、筐体の開閉を検出する開閉検出手段と、着信音を出力するスピーカと、制御手段と、筐体を振動させるバイブレータと、を有し、
前記制御手段は、着信時に前記開閉検出手段が筐体が開いていることを検出したと判定すると、着信時に着信音を前記スピーカから出力するように設定されている状態でも、前記スピーカから着信音を出力することを禁止すると共に前記バイブレータを駆動することを特徴とする通信装置。
【請求項２】
開閉可能な折畳式の通信装置であり、
前記通信装置は、筐体の開閉を検出する開閉検出手段と、着信音を出力するスピーカと、制御手段と、着信中である旨を表示する表示手段と、を有し、
前記制御手段は、着信時に前記開閉検出手段が筐体が開いていることを検出したと判定すると、着信時に着信音を前記スピーカから出力するように設定されている状態でも、前記スピーカから着信音を出力することを禁止すると共に前記表示手段に着信中である旨を表示させることを特徴とする通信装置。
【請求項３】
開閉可能な折畳式の通信装置であり、
前記通信装置は、筐体の開閉を検出する開閉検出手段と、着信音を出力するスピーカと、制御手段と、筐体を振動させるバイブレータと、着信中である旨を表示する表示手段と、を有し、
前記制御手段は、着信時に前記開閉検出手段が筐体が開いていることを検出したと判定すると、着信時に着信音を前記スピーカから出力するように設定されている状態でも、前記スピーカから着信音を出力することを禁止すると共に前記バイブレータを駆動すると共に前記表示手段に着信中である旨を表示させることを特徴とする通信装置。
【請求項４】
開閉可能な折畳式の通信装置であり、
前記通信装置は、筐体の開閉を検出する開閉検出手段と、着信音を出力するスピーカと、制御手段と、着信ランプと、を有し、
前記制御手段は、着信時に前記開閉検出手段が筐体が開いていることを検出したと判定すると、着信時に着信音を前記スピーカから出力するように設定されている状態でも、前記スピーカから着信音を出力することを禁止すると共に前記着信ランプを点灯或いは点滅させることを特徴とする通信装置。
【請求項５】
請求項４記載の通信装置であり、
前記通信装置は、更に筐体を振動させるバイブレータを有し、前記制御手段は、前記着信ランプを点灯或いは点滅させると共に前記バイブレータを駆動させることを特徴とする通信装置。
【請求項６】
請求項４又は５記載の通信装置であり、
前記通信装置は、着信中である旨を表示する表示手段を有し、前記制御手段は、前記着信ランプを点灯或いは点滅させると共に前記表示手段に着信中である旨を表示させることを特徴とする通信装置。
【発明の詳細な説明】
【技術分野】
【０００１】
本発明は、折畳式携帯電話等の通信装置に関する。
【背景技術】
【０００２】
折畳式の携帯電話に関する技術の一例として、特許文献１には、筐体の折り畳んだ状態に応じて着信音の音質を変える技術が提案されている。
【特許文献１】特開２００４−２３３６８号公報
【発明の開示】
【発明が解決しようとする課題】
【０００３】
しかしながら、筐体を開いた状態は通常、ユーザが携帯電話を使用している状態であり、ユーザが携帯電話を使用している、即ち、ユーザが携帯電話の近くにいる場合には一々着信音で報知する必要がない。
又、ユーザが携帯電話から離れている場所にいても着信がわかるように、ユーザが着信音を大に設定している場合には、ユーザが携帯電話を操作している最中或いは通話中に、大音量の着信音がスピーカから出力されると、ユーザは不快に感じてしまう。このことは、たとえ着信音の音色を変えても音量自体は変わらない為に特許文献１に記載の技術でも同様の課題が発生する。
【課題を解決するための手段】
【０００４】
本願発明は、開閉可能な折畳式の通信装置であり、前記通信装置は、筐体の開閉を検出する開閉検出手段と、着信音を出力するスピーカと、制御手段と、筐体を振動させるバイブレータと、を有し、前記制御手段は、着信時に前記開閉検出手段が筐体が開いていることを検出したと判定すると、着信時に着信音を前記スピーカから出力するように設定されている状態でも、前記スピーカから着信音を出力することを禁止すると共に前記バイブレータを駆動することを特徴とする。
又、開閉可能な折畳式の通信装置であり、前記通信装置は、筐体の開閉を検出する開閉検出手段と、着信音を出力するスピーカと、制御手段と、着信中である旨を表示する表示手段と、を有し、前記制御手段は、着信時に前記開閉検出手段が筐体が開いていることを検出したと判定すると、着信時に着信音を前記スピーカから出力するように設定されている状態でも、前記スピーカから着信音を出力することを禁止すると共に前記表示手段に着信中である旨を表示させることを特徴とする。
又、開閉可能な折畳式の通信装置であり、前記通信装置は、筐体の開閉を検出する開閉検出手段と、着信音を出力するスピーカと、制御手段と、筐体を振動させるバイブレータと、着信中である旨を表示する表示手段と、を有し、前記制御手段は、着信時に前記開閉検出手段が筐体が開いていることを検出したと判定すると、着信時に着信音を前記スピーカから出力するように設定されている状態でも、前記スピーカから着信音を出力することを禁止すると共に前記バイブレータを駆動すると共に前記表示手段に着信中である旨を表示させることを特徴とする。
又、開閉可能な折畳式の通信装置であり、前記通信装置は、筐体の開閉を検出する開閉検出手段と、着信音を出力するスピーカと、制御手段と、着信ランプと、を有し、前記制御手段は、着信時に前記開閉検出手段が筐体が開いていることを検出したと判定すると、着信時に着信音を前記スピーカから出力するように設定されている状態でも、前記スピーカから着信音を出力することを禁止すると共に前記着信ランプを点灯或いは点滅させることを特徴とする。
又、請求項４記載の通信装置であり、前記通信装置は、更に筐体を振動させるバイブレータを有し、前記制御手段は、前記着信ランプを点灯或いは点滅させると共に前記バイブレータを駆動させることを特徴とする。
又、請求項４又は５記載の通信装置であり、前記通信装置は、着信中である旨を表示する表示手段を有し、前記制御手段は、前記着信ランプを点灯或いは点滅させると共に前記表示手段に着信中である旨を表示させることを特徴とする。
【発明の効果】
【０００５】
本願発明は、着信時に筐体が開いた状態であれば、着信時に着信音を出力するよう設定されていても、着信音の出力を禁止すると共に、着信中であることをバイブレータや着信中の文字表示や着信ランプの点灯或いは点滅により報知する為、ユーザが筐体を開いた状態、即ち、ユーザが携帯電話を使用している時や通話中において、大音量の着信音が出力されることを禁止し、ユーザに不快感を与えないことが可能である。
【０００６】
又、着信音を出力しなくても別の報知形態により、着信中である旨をユーザに報知する為、ユーザは着信中であることを知ることが可能である。
【発明を実施するための最良の形態】
【０００７】
次に、本発明の一実施形態に係る携帯電話装置について、図面を参照して説明する。
【０００８】
図１及び図２は、本発明を適用してなる実施例装置（折畳式携帯電話装置）の斜視図である。
【０００９】
図１において、携帯電話装置１０は、ディスプレイ４２を有する第１の筐体１１０と、入力部４４と着信ランプ５７を有する第２の筐体１２０とが、ヒンジ部３００を介して接続されており、図中矢印方向に開閉可能である。
【００１０】
又、図２は、図１に示す携帯電話装置１０の背面から見た斜視図であり、第２筐体１２０にアンテナ２と着信ランプ５７が搭載されている。
【００１１】
図３に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。この通信部１２により、携帯電話装置１０は、他の通信装置（例えば、携帯電話装置など）と通信（通話）することができるとともに、電子メールの送受信が可能となり、さらにはインターネットに接続することも可能となる。
【００１２】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１３】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１４】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１５】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００１６】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００１７】
また、通信部１２、ベースバンド部１４及び切替回路２２には、制御回路（制御手段）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。
【００１８】
また、制御回路３６は、ＲＡＭ４０と接続されている。このＲＡＭ４０には、着信音のデータや、画像データ等を格納可能なだけでなく、電話番号と氏名を対応付けて格納する所謂電話帳データも格納している。
【００１９】
また、制御回路３６には、液晶のディスプレイ４２が接続されている。このディスプレイ４２には、現在の時刻、電話番号、電子メールの内容、インターネットによりダウンロードされたサイト画像、着信ありの表示等の所定の情報が表示される。
【００２０】
また、制御回路３６には、入力部４４が接続されている。この入力部４４は、電話番号等の入力を行うテンキー４８と、通話の開始を操作する通話キー５０と、通話の終了を操作する切キー５２と、電子メール機能やインターネット機能などの各種機能の設定を行う機能キー５４と、を有している。
【００２１】
バイブレータ５６は、振動により着信を報知する為のバイブレータである。
【００２２】
着信ランプ５７は、着信時に、着信を報知する為に点灯或いは点滅する。
【００２３】
更に、開閉検出部５５を有しており、前記開閉検出部５５は、筐体の開閉を検出する。
【００２４】
次に、本実施形態に係る携帯電話装置１０の作用について、図４に示すフローチャートに基づいて説明する。
【００２５】
先ず、Ｓ１ステップにおいて、制御回路３６は、ベースバンド部１４から着信があることを示す信号を検出すると、Ｓ２ステップへ処理を進める。
【００２６】
Ｓ２ステップでは、制御回路３６は、開閉検出部５５から筐体が開いた状態であることを示す信号を検出するとＳ３ステップへ処理を進め、そうでなければＳ４ステップへ処理を進める。
【００２７】
Ｓ３ステップでは、制御回路３６は、スピーカ３４から着信音を出力することを禁止すると共に、予め定められた所定の報知形態で着信を報知する。
所定の報知形態とは、例えば、第1に、バイブレータ５６を駆動し振動により着信を報知する報知形態、第２に、ディスプレイ４２に例えば「着信中」と表示し、文字表示により着信を報知する報知形態、第３に、バイブレータ５６を駆動すると共に着信中の表示をすることにより着信を報知する報知形態、第４に、着信ランプ５７を点灯或いは点滅することにより着信を報知する報知形態、第５に、着信ランプ５７を点灯或いは点滅すると共に、バイブレータ５６を駆動する或いは、文字表示により着信を報知する報知形態、第６に、予め設定している着信音の音量よりも小さい音量で出力する報知形態等があり、これら第１〜第６のいずれか１つの報知形態を実行する。
【００２８】
これらの報知形態は、ユーザが予め選択して設定することにより、着信時にはユーザの所望の着信形態で報知することができる。この設定した情報は、ＲＡＭ４０に格納しておき、Ｓ３ステップにおいて、制御回路３６がこの情報をＲＡＭ４０から読み込み、設定した情報の着信報知形態で着信報知を行なうことができる。
【００２９】
Ｓ４ステップでは、制御回路３６は、予め設定している着信音量でスピーカ３４から着信音を出力する。
【００３０】
Ｓ５ステップでは、制御回路３６は、入力部４４の通話キー５０が押下されたと判定すると、Ｓ６ステップへ処理を進め、そうでなければ、Ｓ１ステップへ処理を戻す。
【００３１】
Ｓ６ステップでは、制御回路３６は、ベースバンド部１４と通信部１２を制御することにより通話処理を行ない、ユーザが相手側との通話を行なうことができる。
【００３２】
通話終了後、ユーザが切キー５２を押下することにより、制御回路３６は、切キー５２の押下あると判定し通話処理を終了し待機状態へ移行する。
【図面の簡単な説明】
【００３３】
【図１】本発明を適用してなる実施例装置の斜視図である。
【図２】本発明を適用してなる実施例装置の斜視図である。
【図３】本実施例装置のブロック図である。
【図４】本実施例装置の動作を説明する為のフロー図である。
【符号の説明】
【００３４】
３６      制御回路
４２      ディスプレイ
５５      開閉検出部
５６      バイブレータ
５７      着信ランプ
【図１】
2005269166.tif 000003
【図２】
2005269166.tif 000004
【図３】
2005269166.tif 000005
【図４】
2005269166.tif 000006